(57)【特許請求の範囲】
【請求項１】
光ファイバーの接続部及び余長を収納するために支持板上をレールに沿ってスライド自在に設けられたトレイを備える光配線盤において、前記レールは縦板部と横板部とで断面略Ｌ字状に形成され、前記トレイの左右両側面の後端に固定された軸部材に前記レールの縦板部に穿設された第１長孔を挿通させ、前記軸部材の先端から前記トレイの後方に突設した水平保持片が前記レールの上端から横板部と水平に張設された庇部の下面に当接して前記トレイをスライド自在に支持すると共に、前記支持板上に固定された固定部材に前記レールの横板部に穿設された第２長孔を挿通させ、前記レールの長手方向端縁を前記支持板上に設けられた案内片に嵌めて前記レールをスライド自在に設け、前記トレイを引き出した際に前記レールは第２長孔の後端が前記固定部材に当接するまで引き出され、前記トレイは後端上部に設けたトレイ側ストッパが前記レールの前端上部に設けたレール側ストッパに当接するまで引き出されて水平姿勢を保持し、前記トレイの前側を上に持ち上げて前記トレイ側ストッパが前記レール側ストッパの下側を通過するように手前に引き、前記トレイの水平保持片が前記レールの庇部と当接しない位置まで引き出すと前記トレイは前傾し、前記軸部の先端から水平保持片と反対方向に突設された前傾保持片が前記レールの横板部の上面に当接して前記トレイが前傾姿勢を保持し、前記トレイを手前に引き出した際に水平姿勢及び前傾姿勢のいずれにおいても保持可能にすることを特徴とする光配線盤。
【発明の詳細な説明】
【０００１】
【発明の属する技術分野】
本発明は、光ファイバーの接続に使用する光配線盤に関する。
【０００２】
【従来の技術】
従来の光配線盤は、例えば、特許第３１７３９６２号公報に記載されるものがあり、この光配線盤はトレイ（８）の左右両側面（２０）の後端に第１の係合片（３１）が設けられ、前端に第２の係合片（３２）が設けられている。第１の係合片（３１）は水平に固定されたガイド棒（１５）のアウタガイド（１６）と係合し、第２の係合片（３２）はガイド棒（１５）のインナガイド（１７）の先端にネジ（１８）で螺着されている。トレイ（８）は手前に引き出すとアウタガイド（１６）からインナガイド（１７）が伸びて引き出すことができ、水平姿勢で保持されていた。
【０００３】
また、特開平２０００−２０６３４２号公報に記載される光配線盤は、トレイ（１）の左右両側面にレール（３）を固定し、レール（３）の水平板（１４）に穿設した長孔（１７）に上方からネジ（１９）を挿通させ、レール（３）の水平板（１４）の上面とネジ（１９）の頭部（２３）との間に隙間を設けて支持板（２）の前端に螺着している。トレイ（１）を手前に引き出すとトレイ（１）が支持板（２）上をスライドし、完全に引き出すとトレイ（１）の自重により前傾してレール（３）の長孔（１７）の後端にネジ（１９）が係止して、前傾姿勢で保持されていた。
【０００４】
【発明が解決しようとする課題】
このように、前述の光配線盤はトレイを引き出した際に水平姿勢でしか保持できないため、トレイの真上から作業をしなければならず、高い位置に配設されたトレイにおいては作業性が悪いという欠点があった。
【０００５】
後述の光配線盤はトレイを引き出すと必ず前傾姿勢で保持されるため、低い位置に配設されたトレイにおいては作業性が悪いという欠点があった。また、このトレイは前傾角度を変更することができるが、ネジを回すためのドライバーが必要になり、左右のネジに力が均等に掛かるように締め付け具合を調整しなければならないため、調整が煩わしいという欠点があった。また、トレイを傾斜させるためにレールの後端をトレイの後端より突出させなければならず、光配線盤の奥行き寸法が大きくなるという欠点があった。
【０００６】
そこで上記問題点に鑑み、本発明の目的は、トレイを引き出した際に作業状況に応じトレイの角度を簡単に変更することができて作業性を向上し、また、盤の奥行き寸法を小さくすることができる光配線盤を提供することである。
【０００７】
【課題を解決するための手段】
上記目的を達成するために、請求項１に記載の発明によれば、光ファイバーの接続部及び余長を収納するために支持板上をレールに沿ってスライド自在に設けられたトレイを備える光配線盤において、レールは縦板部と横板部とで断面略Ｌ字状に形成され、トレイの左右両側面の後端に固定された軸部材にレールの縦板部に穿設された第１長孔を挿通させ、軸部材の先端からトレイの後方に突設した水平保持片がレールの上端から横板部と水平に張設された庇部の下面に当接してトレイをスライド自在に支持すると共に、支持板上に固定された固定部材にレールの横板部に穿設された第２長孔を挿通させ、レールの長手方向端縁を支持板上に設けられた案内片に嵌めてレールをスライド自在に設け、トレイを引き出した際にレールは第２長孔の後端が固定部材に当接するまで引き出され、トレイは後端上部に設けたトレイ側ストッパがレールの前端上部に設けたレール側ストッパに当接するまで引き出されて水平姿勢を保持し、トレイの前側を上に持ち上げてトレイ側ストッパがレール側ストッパの下側を通過するように手前に引き、トレイの水平保持片がレールの庇部と当接しない位置まで引き出すとトレイは前傾し、軸部の先端から水平保持片と反対方向に突設された前傾保持片がレールの横板部の上面に当接してトレイが前傾姿勢を保持し、トレイを手前に引き出した際に水平姿勢及び前傾姿勢のいずれにおいても保持可能にすることを特徴とする。
【０００８】
【発明の実施の形態】
請求項１に記載の発明によれば、光ファイバーの接続部及び余長を収納するために支持板上をレールに沿ってスライド自在に設けられたトレイを備える光配線盤において、レールは縦板部と横板部とで断面略Ｌ字状に形成され、トレイの左右両側面の後端に固定された軸部材にレールの縦板部に穿設された第１長孔を挿通させ、軸部材の先端からトレイの後方に突設した水平保持片がレールの上端から横板部と水平に張設された庇部の下面に当接してトレイをスライド自在に支持すると共に、支持板上に固定された固定部材にレールの横板部に穿設された第２長孔を挿通させ、レールの長手方向端縁を支持板上に設けられた案内片に嵌めてレールをスライド自在に設け、トレイを引き出した際にレールは第２長孔の後端が固定部材に当接するまで引き出され、トレイは後端上部に設けたトレイ側ストッパがレールの前端上部に設けたレール側ストッパに当接するまで引き出されて水平姿勢を保持し、トレイの前側を上に持ち上げてトレイ側ストッパがレール側ストッパの下側を通過するように手前に引き、トレイの水平保持片がレールの庇部と当接しない位置まで引き出すとトレイは前傾し、軸部の先端から水平保持片と反対方向に突設された前傾保持片がレールの横板部の上面に当接してトレイが前傾姿勢を保持し、トレイを手前に引き出した際に水平姿勢及び前傾姿勢のいずれにおいても保持可能にすることにより、トレイを引き出した際に作業状況に応じてトレイの保持姿勢を水平又は前傾のどちらかに簡単に変更することができ、作業性を向上させ、また、盤の奥行き寸法を小さくすることができる。
【０００９】
【実施例】
本発明に係る光配線盤の一実施例を図１〜図５の添付図面に基づいて説明する。
【００１０】
光配線盤１は、箱体２の内部に上下方向に支持板３が複数段設けられ、支持板３上に光ファイバーの接続部及び余長を収納するためのトレイ４がレール５に沿ってスライド自在に設けられる。
【００１１】
レール５は縦板部５ａと横板部５ｂとで断面略Ｌ字状に形成され、縦板部５ａには第１長孔５ｃが穿設され、横板部５ｂには第２長孔５ｄが穿設されている。また、縦板部５ａの長手方向端部は横板部５ｂと同一方向に水平に張設された庇部５ｅが縦板部５ａの前端部分を除いて形成され、この前端部分には庇部５ｅに隣接してトレイ４の左右側板４ａに引っ掛けるための断面コ字状のレール側ストッパ５ｆが形成されている。また、横板部５ｂの長手方向端部は縦板部５ａと同一方向に垂直に張設された立ち上げ部５ｇが形成されている。レール５の長さ寸法はトレイ４の奥行き寸法より小さく形成されている。
【００１２】
トレイ４は長方形状の底板４ｂと、光ファイバーの入出線部４ｃを除いて底板４ｂの全周に亘って立設した側板４ａとで形成されている。トレイ４の左右側板４ａの上端にレール５のレール側ストッパ５ｆが引っ掛けられ、軸部材６がレール５の第１長孔５ｃに挿通されてトレイ４の左右側板４ａの後端より少し手前に固定され、左右側板４ａにレール５が夫々取り付けられる。軸部材６は円柱形状に形成されているが、図３の拡大図に示すようにトレイ４の側板４ａに貫通する部分は四角形状に形成され、トレイ４の内側から螺子で螺着して回転しないように固定されている。
【００１３】
軸部材６はトレイ４の後方向に水平保持片６ａが突設され、上端面がレール５の庇部５ｅの下面に当接し、軸部材６と水平保持片６ａの２点でトレイ４を水平に支持している。このため、水平保持片６ａの上端面はトレイ４の庇部５ｅとの接触面が大きくなるように水平に形成されている。また、軸部材６はトレイ４の前方向に前傾保持片６ｂが突設され、前傾保持片６ｂはトレイ４を傾斜させた際にレール５の横板部５ｂの上面に当接するように下端面が横板部５ｂに対して傾斜して形成されている。
【００１４】
また、トレイ４は左右側板４ａの軸部材６より後ろの上端にトレイ側ストッパ４ｄがトレイ４の内側方向に突出して形成され、レール５からトレイ４を引き出した際にレール側ストッパ５ｆに係止してそれ以上引き出せないようにされている。
【００１５】
支持板３の前端にはレール５の立ち上げ部５ｇの上端と外面が摺接する案内片３ａが左右に設けられている。レール５は立ち上げ部５ｇが案内片３ａに嵌め込まれ、支持板３の前端から距離をおいた位置で固定部材７がレールの第２長孔に上方から挿通されて固定され、レール５が案内片３ａに案内されてスライド自在に設けられている。固定部材７は頭部の径が第２長孔５ｄの短径より大きく形成されている。
【００１６】
こうしてスライド自在に設けられたトレイ４の使用方法について説明する。まず、トレイ４を手前に引き出すと、レール５は第２長孔５ｄの後端が支持板３の固定部材７に当接するまで引き出され、トレイ４はトレイ側ストッパ４ｄがレール５のレール側ストッパ５ｆに当接するまで引き出すことができる。このとき、トレイ４は図５（ａ）に示すように水平姿勢で保持されるため、光配線盤１の低い位置に配設されたトレイにおいては、この状態で作業をするとしやすい。
【００１７】
また、このとき、トレイ４の後端は支持板３の前端より前に位置し、トレイ４の上下は空間となる。そのため、図５（ｂ）に示すようにトレイ４の前側を持ち上げて軸部材６を支点に回転させることができ、これによってトレイ側ストッパ４ｄが下がり、この状態で手前に引き出すとトレイ側ストッパ４ｄがレール側ストッパ５ｆの下側を通過する。そしてトレイ４の軸部材６がレール５の第１長孔５ｃの前端に当接するまで引き出す。そうすると、トレイ４の水平保持片６ａの上端面がレール５の庇部５ｅの下面と当接しなくなるのでトレイ４は自重によって前傾し、図５（ｃ）に示すように前傾保持片６ｂがレール５の横板部５ｂの上面に当接してトレイ４は前傾姿勢で保持される。よって、光配線盤１の高い位置に配設されたトレイにおいては、この状態で作業をするとしやすい。
【００１８】
尚、トレイ４を元の収納状態に戻すには逆の手順で行い、トレイ４の前面側板４ａの左右両端に設けたラッチ８が支持板３上に立設した係止片３ｂに係止することによりトレイ４は支持板３に固定される。
【００１９】
【発明の効果】
以上説明したように請求項１に記載の発明によれば、光ファイバーの接続部及び余長を収納するために支持板上をレールに沿ってスライド自在に設けられたトレイを備える光配線盤において、レールは縦板部と横板部とで断面略Ｌ字状に形成され、トレイの左右両側面の後端に固定された軸部材にレールの縦板部に穿設された第１長孔を挿通させ、軸部材の先端からトレイの後方に突設した水平保持片がレールの上端から横板部と水平に張設された庇部の下面に当接してトレイをスライド自在に支持すると共に、支持板上に固定された固定部材にレールの横板部に穿設された第２長孔を挿通させ、レールの長手方向端縁を支持板上に設けられた案内片に嵌めてレールをスライド自在に設け、トレイを引き出した際にレールは第２長孔の後端が固定部材に当接するまで引き出され、トレイは後端上部に設けたトレイ側ストッパがレールの前端上部に設けたレール側ストッパに当接するまで引き出されて水平姿勢を保持し、トレイの前側を上に持ち上げてトレイ側ストッパがレール側ストッパの下側を通過するように手前に引き、トレイの水平保持片がレールの庇部と当接しない位置まで引き出すとトレイは前傾し、軸部の先端から水平保持片と反対方向に突設された前傾保持片がレールの横板部の上面に当接してトレイが前傾姿勢を保持し、トレイを手前に引き出した際に水平姿勢及び前傾姿勢のいずれにおいても保持可能にすることにより、トレイを引き出した際に作業状況に応じてトレイの保持姿勢を水平又は前傾のどちらかに簡単に変更することができ、作業性を向上させ、また、盤の奥行き寸法を小さくすることができるという効果がある。
【図面の簡単な説明】
【図１】本発明に係る光配線盤の扉と右側面板を外した状態の右側面図である。
【図２】本発明に係る光配線盤の扉を外した状態の正面図である。
【図３】本発明に係る光配線盤の要部を示す分解斜視図である。
【図４】本発明に係る光配線盤の要部を示す斜視図である。
【図５】本発明に係る光配線盤の説明図である。
【符号の説明】
１    光配線盤
３    支持板
３ａ  案内片
４    トレイ
４ａ  側板
４ｄ  トレイ側ストッパ
５    レール
５ａ  縦板部
５ｂ  横板部
５ｃ  第１長孔
５ｄ  第２長孔
５ｅ  庇部
５ｆ  レール側ストッパ
５ｇ  立ち上げ部
６    軸部材
６ａ  水平保持片
６ｂ  前傾保持片
７    固定部材
【図１】
0003815606.tif 000002
【図２】
0003815606.tif 000003
【図３】
0003815606.tif 000004
【図４】
0003815606.tif 000005
【図５】
0003815606.tif 000006